(57)【要約】【課題】センサ装置のがたつきを抑制でき、メンテナンス性に優れたバッテリモジュールを提供する。【解決手段】バッテリモジュール１は、複数のセル２１を積層することで構成されるセル積層体２と、各セル２１の電圧を検出するセンサ装置７と、を備える。センサ装置７は、セル積層体２の上面に配置され、隣接するセル２１間には、絶縁プレート２２が設けられている。絶縁プレート２２の突設部２２１には、クリップ部８５を有するプッシュナット８０が挿入される。センサ装置７の第１固定部７３１ｃには、クリップ部８５と係合する孔部７３１ｃａが設けられる。クリップ部８５は、圧縮操作により孔部７３１ｃａから離脱可能に構成される。【選択図】図７
2020035733.tif 000002
【特許請求の範囲】
【請求項１】
複数のセルを積層することで構成されるセル積層体と、各セルの電圧を検出するセンサ装置と、を備えるバッテリモジュールであって、
前記センサ装置は、前記セル積層体の上面に配置され、
隣接するセル間には、絶縁プレートが設けられ、
前記絶縁プレートは、上方に突出する突設部を有し、
前記突設部には、クリップ部を有するプッシュナットが挿入され、
前記センサ装置は、固定部を有し、
前記固定部には、前記クリップ部と係合する孔部が設けられ、
前記クリップ部は、圧縮操作により前記孔部から離脱可能に構成される、バッテリモジュール。
【請求項２】
請求項１に記載のバッテリモジュールであって、
前記センサ装置は、積層方向に離間した少なくとも２つの前記絶縁プレートの前記突設部に、前記プッシュナットを介して固定されている、バッテリモジュール。
【請求項３】
請求項１又は２に記載のバッテリモジュールであって、
前記プッシュナットは、
プッシュナット部が設けられた平坦部と、
該平坦部から立設され、該プッシュナット部を挟んで積層方向に対向する一対の縦壁部と、
前記一対の縦壁部の上端部から連続して設けられ、互いに近づく方向に延びる一対の平板部と、
前記一対の平板部の上方に設けられた前記クリップ部と、を備え、
前記クリップ部は、
前記一対の平板部から上方に延びて、所定の隙間を介して対向する一対の中間壁と、
前記一対の中間壁の上部に設けられる一対の屈曲部と、
前記一対の屈曲部から、下方に向かって前記一対の中間壁から離間するように延びる一対の自由端部と、
前記一対の自由端部の先端部に設けられ、前記センサ装置の前記固定部と係合する一対の係合部と、を備える、バッテリモジュール。
【請求項４】
請求項３に記載のバッテリモジュールであって、
前記固定部の前記孔部の前記積層方向の長さは、前記一対の係合部の前記積層方向の長さよりも短く、
前記一対の中間壁は、積層方向に弾性を有する、バッテリモジュール。
【請求項５】
請求項３又は４に記載のバッテリモジュールであって、
前記プッシュナットは、
前記一対の縦壁部の上端部から連続して設けられ、互いに近づく方向に延びる少なくとも一対のばね部をさらに備え、
前記一対の係合部と前記少なくとも一対のばね部との間に前記センサ装置の前記固定部が挟持される、バッテリモジュール。
【請求項６】
請求項３〜５のいずれか１項に記載のバッテリモジュールであって、
前記一対の平板部は、上下方向に弾性を有する、バッテリモジュール。
【請求項７】
請求項３〜６のいずれか１項に記載のバッテリモジュールであって、
前記プッシュナットは、一枚の金属板から形成されている、バッテリモジュール。
【請求項８】
請求項１〜７のいずれか１項に記載のバッテリモジュールであって、
前記バッテリモジュールは、隣接する前記セル間を接続するバスバーを保持するバスバープレートを備え、
前記バスバープレートは、前記絶縁プレートの前記突設部が挿通する挿通孔を有し、
前記プッシュナットは、前記突設部が前記バスバープレートの前記挿通孔に挿入された状態で前記突設部に挿入される、バッテリモジュール。
【請求項９】
請求項１〜８のいずれか１項に記載のバッテリモジュールであって、
前記絶縁プレートの前記突設部は、略矩形形状を有し、
前記突設部には、積層方向に対向する面に溝部が設けられ、
前記プッシュナットのプッシュナット部は、前記積層方向に対向する少なくとも一対の爪部を有し、
前記一対の爪部は、
前記プッシュナット部が設けられた平坦部から互いに近づく方向に延びる第１傾斜部と、
前記第１傾斜部と屈曲部を介して連結され、互いに離間する方向に延びる第２傾斜部と、を有し、前記屈曲部が前記溝部に係合する、バッテリモジュール。
【発明の詳細な説明】
【技術分野】
【０００１】
本発明は、電動車両などに搭載されるバッテリモジュールに関する。
【背景技術】
【０００２】
従来より電動車両などにはバッテリモジュールが搭載されている。例えば、特許文献１には、複数のセルを積層することで構成されるセル積層体と、各セルの電圧を検出するセンサ装置と、を備えるバッテリモジュールが開示されている。
【先行技術文献】
【特許文献】
【０００３】
【特許文献１】特開２０１６−０７２１８１号公報
【発明の概要】
【発明が解決しようとする課題】
【０００４】
近年、この種のバッテリモジュールでは、バッテリの高容量化が進み、温度変化や経年劣化によるセルの膨張に起因する寸法拡大が無視できなくなっている。そのため、セル積層体の上面にセンサ装置を２点以上で強固に固定することが困難であり、車両走行時の振動でセンサ装置ががたつく虞があった。
【０００５】
また、センサ装置をメンテナンスする際には、センサ装置をバッテリから容易に取り外せることが望まれる。
【０００６】
本発明は、センサ装置のがたつきを抑制でき、メンテナンス性に優れたバッテリモジュールを提供する。
【課題を解決するための手段】
【０００７】
本発明は、
複数のセルを積層することで構成されるセル積層体と、各セルの電圧を検出するセンサ装置と、を備えるバッテリモジュールであって、
前記センサ装置は、前記セル積層体の上面に配置され、
隣接するセル間には、絶縁プレートが設けられ、
前記絶縁プレートは、上方に突出する突設部を有し、
前記突設部には、クリップ部を有するプッシュナットが挿入され、
前記センサ装置は、固定部を有し、
前記固定部には、前記クリップ部と係合する孔部が設けられ、
前記クリップ部は、圧縮操作により前記孔部から離脱可能に構成される。
【発明の効果】
【０００８】
本発明によれば、センサ装置は、固定部に設けられた孔部が、絶縁プレートの突設部に挿入されたプッシュナットのクリップ部と係合することで、セル積層体の上面にセンサ装置が配置されるバッテリモジュールでありながら、センサ装置のがたつきを抑制できる。また、センサ装置のメンテナンスの際には、クリップ部を圧縮操作することで孔部からクリップ部が離脱するので、センサ装置をセル積層体から容易に取り外すことができる。
【図面の簡単な説明】
【０００９】
【図１】本発明の一実施形態のバッテリモジュールを斜め上方から見た斜視図である。
【図２】図１のバッテリモジュールの分解斜視図である。
【図３】図１のバッテリモジュールの平面図である。
【図４】図１のバッテリモジュールのセンサ装置を斜め下方から見た斜視図である。
【図５】図４のＡ−Ａ断面図である。
【図６】センサ装置の第１固定部の拡大斜視図である。
【図７】図６のＢ−Ｂ断面図である。
【図８】組付け前の絶縁プレートの突設部及びプッシュナットの斜視図である。
【図９】プッシュナットの組付けを説明する説明図である。
【図１０】センサ装置の相対移動に伴うプッシュナットの変形を説明する説明図である。
【図１１】変形例の組付け前の絶縁プレートの突設部及びプッシュナットの斜視図である。
【図１２】変形例の組付け後の絶縁プレートの突設部及びプッシュナットの断面図である。
【発明を実施するための形態】
【００１０】
以下、本発明のバッテリモジュールの各実施形態を、添付図面に基づいて説明する。なお、図面は符号の向きに見るものとする。
【００１１】
［バッテリモジュール］
図１〜図３に示すように、本実施形態に係るバッテリモジュール１は、前後方向に複数のセル２１を積層して構成され、前面、後面、左面、右面、上面、及び下面を有するセル積層体２と、セル積層体２の前面及び後面に配置される一対のエンドプレート３と、セル積層体２の左面及び右面に配置され、一対のエンドプレート３を連結する一対のサイドフレーム４と、セル積層体２の下面に配置されるロアプレート５と、セル積層体２の上面に配置され、各セル２１の電圧を検出するセンサ装置７と、セル積層体２の上面のうち、センサ装置７が搭載されない領域を覆うトップカバー６と、を備える。
【００１２】
なお、本明細書等では説明を簡単且つ明確にするためにセル２１の積層方向を前後方向と定義し、セル２１の積層方向に直交する方向を左右方向（幅方向）及び上下方向（高さ方向）と定義したものであり、バッテリモジュール１が搭載される製品の前後方向等とは無関係である。即ち、バッテリモジュール１が車両に搭載される場合、セル２１の積層方向は、車両の前後方向に一致してもよく、車両の上下方向、左右方向であってもよく、これらの方向から傾斜した方向であってもよい。図面には、バッテリモジュール１の前方をＦｒ、後方をＲｒ、左側をＬ、右側をＲ、上方をＵ、下方をＤ、として示す。
【００１３】
（セル積層体）
図２に示すように、セル積層体２は、複数のセル２１と複数の絶縁プレート２２を前後方向に交互に積層して構成される。セル積層体２の上面には、セル２１の端子２１１に電気的に接続される複数のバスバー２３が配置される。複数のバスバー２３は、複数のセル２１が電気的に直列に接続されるように隣接するセル２１の端子２１１同士を接続している。具体的に説明すると、複数のセル２１は、プラス側の端子２１１とマイナス側の端子２１１とが順次左右反転するように積層されており、複数のバスバー２３は、セル積層方向の上手側に隣接するセル２１のプラス側（又はマイナス側）の端子２１１と、セル積層方向の下手側に隣接するセル２１のマイナス側（又はプラス側）の端子２１１とを順次接続することで、複数のセル２１を電気的に直列に接続している。
【００１４】
セル積層体２の上面には、複数のバスバー２３を保持するバスバープレート２４が設けられている。バスバープレート２４は、複数のバスバー保持部２４１を備え、各バスバー保持部２４１に複数のバスバー２３を保持させた後、バスバープレート２４をセル積層体２の上面に載置すると、複数のバスバー２３が対応する端子２１１と接続可能な所定の位置に位置決めされる。なお、本実施形態のバスバープレート２４は、バスバー２３を端子２１１に接続した後に取り外される治具ではなく、バスバー２３を端子２１１に接続した後も取付状態を維持するバッテリモジュール１の構成要素である。
【００１５】
セル２１は、温度変化や経年劣化によって膨張することが知られている。セル２１は、前後方向の長さよりも上下方向の長さが長く、上下方向の長さよりも左右方向の長さが長い直方体形状を有する。そのため、セル２１は前面及び後面の面積が、左面、右面、上面及び下面の面積よりもはるかに大きく、セル２１の前面及び後面で、その左右方向中央部及び上下方向中央部が膨張しやすい。セル２１が前後方向に膨張すると、セル２１の端子２１１同士を連結するバスバー２３に応力が作用する。本実施形態のバスバー２３は、セル２１の膨張に伴って作用する応力を緩和するために、前後方向の中間部に上方に突出する屈曲部２３１を有する。
【００１６】
（エンドプレート）
図１〜図３に示すように、一対のエンドプレート３は、セル積層体２の前面及び後面に配置され、セル２１の膨張に起因するセル積層体２のセル積層方向の荷重を受け止める。本実施形態のエンドプレート３は、セル積層体２と対向しない外側の面の左右両端部には、サイドフレーム４とボルトＢ１を介して締結される複数の締結部３１が設けられる。また、一対のエンドプレート３の上面には、バッテリモジュール１と外部の電気機器との間で電力を授受するための外部接続用端子台３２が設けられ、さらに、いずれか一方のエンドプレート３の上面には、ボルトＢ２を介してセンサ装置７が固定されるセンサ固定部３３が設けられている。
【００１７】
（サイドフレーム）
図１〜図３に示すように、サイドフレーム４は、セル積層体２の左面又は右面に沿うサイドフレーム本体４１と、サイドフレーム本体４１の前端から前側のエンドプレート３の前面に沿って互いに近づく方向に延びる前フランジ部４２と、サイドフレーム本体４１の後端から後側のエンドプレート３の後面に沿って互いに近づく方向に延びる後フランジ部４３と、サイドフレーム本体４１の上端からセル積層体２の上面に沿って互いに近づく方向に延びる上フランジ部４４と、サイドフレーム本体４１の下端からセル積層体２（ロアプレート５）の下面に沿って互いに近づく方向に延びる下フランジ部４５と、を備える。
【００１８】
前フランジ部４２及び後フランジ部４３は、前側のエンドプレート３又は後側のエンドプレート３にボルトＢ１を介して締結される。これにより、一対のエンドプレート３は、一対のサイドフレーム４を介して連結される。一対のサイドフレーム４は、セル積層体２のセル積層方向の荷重が増加した場合、エンドプレート３同士の前後方向の相対変位を許容する。例えば、サイドフレーム本体４１の前後方向の変形、サイドフレーム本体４１と前フランジ部４２又は後フランジ部４３との角度変化等によってエンドプレート３同士の前後方向の相対変位が許容される。
【００１９】
上フランジ部４４及び下フランジ部４５は、セル積層体２の左端部及び右端部においてセル積層体２及びロアプレート５を上下方向から挟持している。これにより、セル積層体２、サイドフレーム４及びロアプレート５の上下方向の相対位置変動が抑制されるとともに、セル積層体２を構成する複数のセル２１を整列させることができる。
【００２０】
本実施形態の上フランジ部４４は、前後方向に並ぶ複数の弾性片４４ａにより構成されており、弾性片４４ａの個数及び位置は、前後方向に積層されるセル２１の個数及び位置に対応している。これにより、上フランジ部４４は、適度な弾性を有しつつ、複数のセル２１を個別に弾性保持できる。なお、下フランジ部４５は、被留部（図示せず）を介してロアプレート５に固定又は係合されている。
【００２１】
（ロアプレート）
図１及び図２に示すように、ロアプレート５は、セル積層体２及びエンドプレート３の下面に沿って延びるロアプレート本体５１と、バッテリモジュール１を支持するモジュール支持構造体（図示せず）に固定される複数の固定部５２と、サイドフレーム４の下フランジ部４５が留められる留部（図示せず）と、を備える。
【００２２】
（センサ装置）
図４及び図５に示すように、センサ装置７は、基板７１と、該基板７１に搭載される電子部品７２と、該基板７１及び該電子部品７２を収容するケース７３と、該ケース７３の側面に配置される電圧検出用コネクタ７４及び検出信号出力用コネクタ７５と、を備える。なお、本実施形態のセンサ装置７は、２つのバッテリモジュール１の電圧検出を可能とするために、２つの電圧検出用コネクタ７４を備えるが、電圧検出用コネクタ７４の個数は、１つでもよいし、３つ以上であってもよい。
【００２３】
本実施形態の基板７１は、前後方向に長い平面視長方形のプリント基板であり、上面に配線がプリントされ、下面に電子部品７２、電圧検出用コネクタ７４及び検出信号出力用コネクタ７５が実装される。
【００２４】
ケース７３は、基板７１の下面側を覆うケース本体７３１と、基板７１の上面側を覆う蓋ケース７３２と、を備える。ケース本体７３１は、複数（本実施形態では４つ）の第１固定部７３１ｃと１つの第２固定部７３１ｂとを備え、これらの固定部７３１ｃ、７３１ｂを介してセル積層体２の上面に固定される。なお、セル積層体２の上面に対する第１固定部７３１ｃ及び第２固定部７３１ｂの具体的な固定構造は後述する。
【００２５】
電圧検出用コネクタ７４は、複数の電圧検出線９を介して各バスバー２３に接続される。複数の電圧検出線９の一端側は、ケーブル側コネクタを介してセンサ装置７の電圧検出用コネクタ７４に接続される。また、複数の電圧検出線９の他端側は、セル積層体２の上面とセンサ装置７の下面との間に確保される空間を介して各バスバー２３に接続される。
【００２６】
検出信号出力用コネクタ７５には、検出信号出力線（図示せず）の一端側が接続される。検出信号出力線の他端側は、車両の充放電制御部（図示せず）に接続され、センサ装置７から出力される各セル２１の電圧検出信号が検出信号出力線を介して車両の充放電制御部に入力される。
【００２７】
（センサ装置の固定構造）
つぎに、セル積層体２に対するセンサ装置７の具体的な固定構造について説明する。
【００２８】
図１〜図４に示すように、前述した第１固定部７３１ｃは、ケース本体７３１の左側部及び右側部に、それぞれ前後方向に所定の間隔をあけて複数（２つ）突設されており、前後方向に離間した複数の絶縁プレート２２に対し、プッシュナット８０を介して固定されている。
【００２９】
プッシュナット８０は、図８に示すように、例えば一枚の金属製の板材を曲げ加工することで形成される。プッシュナット８０は、プッシュナット部８１が設けられた平坦部８２と、平坦部８２から立設され、該プッシュナット部８１を挟んで積層方向に対向する一対の縦壁部８３と、一対の縦壁部８３の上端部から連続して設けられ、互いに近づく方向に延びる一対の平板部８４と、一対の平板部８４の上方に設けられたクリップ部８５と、一対の縦壁部８３の上端部から連続して設けられ、互いに近づく方向に延びる一対の第１ばね部８６と、一対の縦壁部８３の上端部から連続して設けられ、互いに近づく方向に延びる一対の第２ばね部８７と、を備える。一対の第１ばね部８６及び一対の第２ばね部８７は、一対の平板部８４を挟むように配置される。
【００３０】
クリップ部８５は、略矢じり形状を有し、一対の平板部８４から上方に延びて、所定の隙間を介して対向する一対の中間壁８５ａと、一対の中間壁８５ａの上部に設けられる一対の屈曲部８５ｂと、一対の屈曲部８５ｂから、下方に向かって一対の中間壁８５ａから離間するように延びる一対の自由端部８５ｃと、一対の自由端部８５ｃの先端部に設けられ、センサ装置７の第１固定部７３１ｃと係合する一対の係合部８５ｄと、を備える。
【００３１】
絶縁プレート２２は、図７及び図８に示すように、上方に突出する円筒形状の突設部２２１を有する。突設部２２１は、図８及び９に示すように、プッシュナット８０のプッシュナット部８１に下方から挿入される。プッシュナット部８１は、図８に示すように、中央部に形成される円形の孔８１ａの周縁部に上方に傾斜した複数の爪部８１ｂを有し、突設部２２１に上方から圧入すると、複数の爪部８１ｂが突設部２２１の外周部に食い込むことで上方への抜けが規制される。
【００３２】
センサ装置７の第１固定部７３１ｃは、矩形状の孔部７３１ｃａを有する。第１固定部７３１ｃは、図９に示すように、孔部７３１ｃａにプッシュナット８０のクリップ部８５が下方から挿入されることで、図６及び図７に示すように、一対の中間壁８５ａが孔部７３１ｃａを挿通し、クリップ部８５の一対の係合部８５ｄが孔部７３１ｃａに係合する。
【００３３】
ここで、図１０に示すように、前後方向（積層方向）における一対の係合部８５ｄ間の距離をＸ、積層方向における孔部７３１ｃａの距離をＹとする、Ｙ＜Ｘに設定され、クリップ部８５が縮められた状態（圧縮された状態）で、センサ装置７の第１固定部７３１ｃが第１ばね部８６及び第２ばね部８７と係合部８５ｄとの間に弾性的に挟持される。
【００３４】
したがって、センサ装置７の第１固定部７３１ｃが絶縁プレート２２の突設部２２１に対し積層方向に相対的に移動したとしても、一対の中間壁８５ａが弾性的に傾くことで積層方向の相対変位が吸収され、センサ装置７の第１固定部７３１ｃはクリップ部８５に保持された状態が維持される。なお、孔部７３１ｃａの距離Ｙと通常時の一対の係合部８５ｄ間の距離Ｘの差の半分が、セル膨張等で想定されるセル２１の想定変位量Ｚよりも大きくなるように設定される。
【００３５】
即ち、一対の係合部８５ｄ間の距離Ｘ、孔部７３１ｃａの距離Ｙ、セル２１の想定変位量Ｚとは、以下の（ａ）式の関係を満たす。
（Ｘ−Ｙ）／２＞Ｚ      （ａ）
【００３６】
また、クリップ部８５は、圧縮操作により孔部７３１ｃａから離脱可能に構成される。具体的に説明すると、一対の自由端部８５ｃを互いに近づけるようにクリップ部８５を圧縮操作すると、孔部７３１ｃａに対する一対の係合部８５ｄの係合が外れ、第１ばね部８６及び第２ばね部８７の付勢力によって第１固定部７３１ｃが押し出される。このように、プッシュナット部８１による締付と異なる部分で、センサ装置７の第１固定部７３１ｃがクリップ部８５によって保持されることで、センサ装置７のメンテナンスの際には、クリップ部を圧縮操作することで孔部７３１ｃａからクリップ部８５が容易に離脱する。したがって、センサ装置７をセル積層体２から容易に取り外すことができる。
【００３７】
なお、プッシュナット８０の平板部８４は上下方向に弾性を有するので、これに伴ってクリップ部８５も上下方向に弾性を有する。これにより、クリップ部８５を圧縮操作とともに下方に押し下げることにより、より容易に孔部７３１ｃａに対する一対の係合部８５ｄの係合が外れる。
【００３８】
本実施形態のバッテリモジュール１では、絶縁プレート２２の突設部２２１及びプッシュナット８０がバスバープレート２４の固定部及び固定具に兼用されている。具体的に説明すると、バスバープレート２４は、絶縁プレート２２の突設部２２１が挿通する挿通孔２４２（図７参照）を有し、突設部２２１がバスバープレート２４の挿通孔２４２に挿入された状態でプッシュナット８０が突設部２２１に挿入される。これにより、バスバープレート２４が絶縁プレート２２とプッシュナット８０の平坦部８２との間で上下方向に固定される。
【００３９】
前述した第２固定部７３１ｂは、ケース本体７３１の前後方向一端部（本実施形態では、前端部）に突設されており、前後いずれか一方のエンドプレート３に設けられるセンサ固定部３３に対し、ボルトＢ２を介して前後方向及び上下方向に移動不能に固定される。これにより、センサ装置７は、１つの第２固定部７３１ｂにおいて上下方向に固定され、且つ、複数の第１固定部７３１ｃにおいてセンサ装置７の第１固定部７３１ｃが第１ばね部８６及び第２ばね部８７と係合部８５ｄとの間に弾性的に挟持される。したがって、車両走行時の振動で上下方向にがたつくことが抑制される。また、センサ装置７は、１つの第２固定部７３１ｂによって前後方向に固定され、且つ、複数の第１固定部７３１ｃにおいて一対の中間壁８５ａが弾性的に傾くことで積層方向の相対変位が吸収されるので、車両走行時の振動で前後方向にがたつくことが抑制されるだけでなく、セル２１の膨張によってセンサ装置７に応力が発生することを防止できる。
【００４０】
次に、本実施形態の変形例について図１１及び図１２を参照しながら説明する。
前述した実施形態では、絶縁プレート２２の突設部２２１が上方に突出する円筒形状を有し、プッシュナット部８１が円形の孔８１ａの周縁部に設けられた複数の爪部８１ｂから構成されたが、これに限られるものではない。
【００４１】
本変形例では、絶縁プレート２２の突設部２２１が矩形形状を有する。より具体的に説明すると、突設部２２１は、前後方向（積層方向）に対向する前面２２１ｆ及び後面２２１ｒと、左右方向に対向する左面２２１ａ及び右面２２１ｂと、を有し、前面２２１ｆ及び後面２２１ｒに、左右方向に延びる溝部２２１ｄが形成されている。
【００４２】
プッシュナット部８１は、中央部に形成される矩形状の孔８１ａの周縁部に上方に傾斜した複数の爪部８１ｂを有する。複数の爪部８１ｂは、前後方向（積層方向）に対向する二対の爪部８１ｂａと、左右方向に対向する一対の爪部８１ｂｂと、から構成される。各爪部８１ｂａ、８１ｂｂは、平坦部８２から互いに近づく方向に延びる第１傾斜部８１１と、第１傾斜部８１１と屈曲部８１０を介して連結され、互いに離間する方向に延びる第２傾斜部８１２と、を有する。
【００４３】
プッシュナット８０のプッシュナット部８１を突設部２２１に上方から圧入すると、前後方向（積層方向）に対向する爪部８１ｂａの屈曲部８１０が突設部２２１の前面２２１ｆ及び後面２２１ｒに設けられた溝部２２１ｄに係合することで上方への抜けが規制される。また、爪部８１ｂｂの屈曲部８１０が左面２２１ａ及び右面２２１ｂに係合することでも上方への抜けが規制される。即ち、爪部８１ｂａの屈曲部８１０が溝部２２１ｄと接触するため、金属片の角によって突設部２２１が削られることが防止される。これにより、プッシュナット８０のプッシュナット部８１と絶縁プレート２２の突設部２２１との係合が安定し、センサ装置７をより安定して保持することができる。
【００４４】
なお、前述した実施形態は、適宜、変形、改良、等が可能である。例えば、前述した実施形態のセンサ装置７は、基板７１を収容するケース７３に第１固定部７３１ｃ及び第２固定部７３１ｂを設け、これらの固定部７３１ｃ、７３１ｂをセル積層体２に固定しているが、ケースを備えず、基板自体を露出状態でセル積層体に固定するバッテリモジュールでは、前記実施形態の第１固定部及び第２固定部に相当する孔を基板自体に設け、これらの孔を前記実施形態の第１固定部及び第２固定部と同様の固定構造でセル積層体２に固定することができる。
【００４５】
本明細書には少なくとも以下の事項が記載されている。なお、括弧内には、上記した実施形態において対応する構成要素等を示しているが、これに限定されるものではない。
【００４６】
（１）  複数のセル（セル２１）を積層することで構成されるセル積層体（セル積層体２）と、各セルの電圧を検出するセンサ装置（センサ装置７）と、を備えるバッテリモジュール（バッテリモジュール１）であって、
前記センサ装置は、前記セル積層体の上面に配置され、
隣接するセル間には、絶縁プレート（絶縁プレート２２）が設けられ、
前記絶縁プレートは、上方に突出する突設部（突設部２２１）を有し、
前記突設部には、クリップ部（クリップ部８５）を有するプッシュナット（プッシュナット８０）が挿入され、
前記センサ装置は、固定部（第１固定部７３１ｃ）を有し、
前記固定部には、前記クリップ部と係合する孔部（孔部７３１ｃａ）が設けられ、
前記クリップ部は、圧縮操作により前記孔部から離脱可能に構成される、バッテリモジュール。
【００４７】
（１）によれば、センサ装置は、固定部に設けられた孔部が、絶縁プレートの突設部に挿入されたプッシュナットのクリップ部と係合することで、セル積層体の上面にセンサ装置が配置されるバッテリモジュールでありながら、センサ装置のがたつきを抑制できる。また、センサ装置のメンテナンスの際には、クリップ部を圧縮操作することで孔部からクリップ部が離脱するので、センサ装置をセル積層体から容易に取り外すことができる。
【００４８】
（２）  （１）に記載のバッテリモジュールであって、
前記センサ装置は、積層方向に離間した少なくとも２つの前記絶縁プレートの前記突設部に、前記プッシュナットを介して固定されている、バッテリモジュール。
【００４９】
（２）によれば、センサ装置は、積層方向に離間した少なくとも２つの絶縁プレートの突設部にプッシュナットを介して固定されているので、センサ装置のがたつきをより確実に抑制できる。
【００５０】
（３）  （１）又は（２）に記載のバッテリモジュールであって、
前記プッシュナットは、
プッシュナット部（プッシュナット部８１）が設けられた平坦部（平坦部８２）と、
該平坦部から立設され、該プッシュナット部を挟んで積層方向に対向する一対の縦壁部（縦壁部８３）と、
前記一対の縦壁部の上端部から連続して設けられ、互いに近づく方向に延びる一対の平板部（平板部８４）と、
前記一対の平板部の上方に設けられた前記クリップ部と、を備え、
前記クリップ部は、
前記一対の平板部から上方に延びて、所定の隙間を介して対向する一対の中間壁（中間壁８５ａ）と、
前記一対の中間壁の上部に設けられる一対の屈曲部（屈曲部８５ｂ）と、
前記一対の屈曲部から、下方に向かって前記一対の中間壁から離間するように延びる一対の自由端部（自由端部８５ｃ）と、
前記一対の自由端部の先端部に設けられ、前記センサ装置の前記固定部と係合する一対の係合部（係合部８５ｄ）と、を備える、バッテリモジュール。
【００５１】
（３）によれば、一対の自由端部の先端部に設けられた一対の係合部がセンサ装置の固定部と係合することで、センサ装置のがたつきを抑制できる。また、一対の自由端部を互いが近づく方向に圧縮操作することで、孔部からクリップ部が離脱する。これにより、センサ装置をセル積層体から容易に取り外すことができる。
【００５２】
（４）  （３）に記載のバッテリモジュールであって、
前記固定部の前記孔部の前記積層方向の長さ（距離Ｙ）は、前記一対の係合部の前記積層方向の長さ（距離Ｘ）よりも短く、
前記一対の中間壁は、積層方向に弾性を有する、バッテリモジュール。
【００５３】
（４）によれば、一対の中間壁が積層方向に弾性を有することにより、一対の係合部がセンサ装置の固定部と係合した状態で、セルの膨張による変位を吸収することができる。
【００５４】
（５）  （３）又は（４）に記載のバッテリモジュールであって、
前記プッシュナットは、
前記一対の縦壁部の上端部から連続して設けられ、互いに近づく方向に延びる少なくとも一対のばね部（第１ばね部８６、第２ばね部８７）をさらに備え、
前記一対の係合部と前記少なくとも一対のばね部との間に前記センサ装置の前記固定部が挟持される、バッテリモジュール。
【００５５】
（５）によれば、一対の係合部と一対のばね部との間にセンサ装置の固定部が挟持されるので、センサ装置の固定部を弾性的に保持することができ、センサ装置のがたつきをより確実に抑制できる。
【００５６】
（６）  （３）〜（５）のいずれかに記載のバッテリモジュールであって、
前記一対の平板部は、上下方向に弾性を有する、バッテリモジュール。
【００５７】
（６）によれば、クリップ部を圧縮操作とともに下方に押し下げることにより、より容易にセンサ装置をセル積層体から容易に取り外すことができる。
【００５８】
（７）  （３）〜（６）のいずれかに記載のバッテリモジュールであって、
前記プッシュナットは、一枚の金属板から形成されている、バッテリモジュール。
【００５９】
（７）によれば、部品点数の増加を抑制できる。
【００６０】
（８）  （１）〜（７）のいずれかに記載のバッテリモジュールであって、
前記バッテリモジュールは、隣接する前記セル間を接続するバスバー（バスバー２３）を保持するバスバープレート（バスバープレート２４）を備え、
前記バスバープレートは、前記絶縁プレートの前記突設部が挿通する挿通孔（挿通孔２４２）を有し、
前記プッシュナットは、前記突設部が前記バスバープレートの前記挿通孔に挿入された状態で前記突設部に挿入される、バッテリモジュール。
【００６１】
（８）によれば、バスバープレートもセル積層体の上面にセンサ装置とともに固定することができ、バスバープレートを固定するための部材を不要にできる。
【００６２】
（９）  （１）〜（８）のいずれかに記載のバッテリモジュールであって、
前記絶縁プレートの前記突設部は、略矩形形状を有し、
前記突設部には、積層方向に対向する面（前面２２１ｆ、後面２２１ｒ）に溝部（溝部２２１ｄ）が設けられ、
前記プッシュナットのプッシュナット部（プッシュナット部８１）は、前記積層方向に対向する少なくとも一対の爪部（爪部８１ｂａ）を有し、
前記一対の爪部は、
前記プッシュナット部が設けられた平坦部（平坦部８２）から互いに近づく方向に延びる第１傾斜部（第１傾斜部８１１）と、
前記第１傾斜部と屈曲部（屈曲部８１０）を介して連結され、互いに離間する方向に延びる第２傾斜部（第２傾斜部８１２）と、を有し、前記屈曲部が前記溝部に係合する、バッテリモジュール。
【００６３】
（９）によれば、プッシュナット部を構成する爪部の屈曲部が、矩形形状の絶縁プレートの突設部に設けられた溝部に係合することで、突設部が爪部によって削られることが防止される。これにより、プッシュナットのプッシュナット部と絶縁プレートの突設部との係合が安定し、センサ装置をより安定して保持することができる。
【符号の説明】
【００６４】
１  バッテリモジュール
２  セル積層体
２１  セル
２２  絶縁プレート
２２１  突設部
２２１ｄ  溝部
２２１ｆ  前面
２２１ｒ  後面
２３  バスバー
２４  バスバープレート
２４２  挿通孔
３  エンドプレート
７  センサ装置
７１  基板
７２  電子部品
７３  ケース
７３１ｃ  第１固定部（固定部）
７３１ｃａ  孔部
８０  プッシュナット
８１  プッシュナット部
８１ｂａ  爪部
８１０  屈曲部
８１１  第１傾斜部
８１２  第２傾斜部
８２  平坦部
８３  縦壁部
８４  平板部
８５クリップ部
８５ａ  中間壁
８５ｂ  屈曲部
８５ｃ  自由端部
８５ｄ  係合部
８６  第１ばね部（ばね部）
８７  第２ばね部（ばね部）
【図１】
2020035733.tif 000003
【図２】
2020035733.tif 000004
【図３】
2020035733.tif 000005
【図４】
2020035733.tif 000006
【図５】
2020035733.tif 000007
【図６】
2020035733.tif 000008
【図７】
2020035733.tif 000009
【図８】
2020035733.tif 000010
【図９】
2020035733.tif 000011
【図１０】
2020035733.tif 000012
【図１１】
2020035733.tif 000013
【図１２】
2020035733.tif 000014